【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
電力を光、風、熱又は音のいずれかに変換する変換部と、該変換部から出力される光、風、熱又は音のいずれかを外部へ出力する出力部と、を有する本体部と、
該本体部に設けられたバッテリ保持部に着脱可能に装着され、前記変換部に電力を供給するバッテリパックと、
前記本体部を回動可能に支持するフレーム部と、を備えた電気機器であって、
前記フレーム部は、前記出力部が前方を向いた状態で、前方から前記出力部を見たときに、前記出力部の左方及び右方に位置して上下方向に延びるサイドフレームと、前記出力部の上方に位置して左右方向に延びるトップフレームと、前記出力部の下方において左方及び右方に位置して前後方向に延びるボトムフレームとが互いに相対移動しないよう一体化されて構成されていると共に、前記サイドフレームに前記本体部を回動可能に支持する支持機構部が設けられていることを特徴する電気機器。
【請求項２】
前記サイドフレームの一方側から見た側面視において、前記サイドフレームの一方と前記ボトムフレームは略Ｌ字状に構成されていることを特徴とする請求項１に記載の電気機器。
【請求項３】
前記トップフレームは前記サイドフレームの上端部に接続され、
前記ボトムフレームは前記サイドフレームの下端部から後方側に延びていることを特徴とする請求項１又は２に記載の電気機器。
【請求項４】
前記フレーム部は、左方及び右方に位置する前記ボトムフレームの後端部を接続する接続フレームを有し、
前記ボトムフレームを接地させた状態で、前記ボトムフレームの一部及び前記接続フレームは前記支持機構部よりも後方側に位置することを特徴とする請求項１乃至３のいずれか一項に記載の電気機器。
【請求項５】
前記サイドフレームの一方側から見た側面視において、前記サイドフレームの一方と前記ボトムフレームとがなす角度は鋭角に設定されていることを特徴とする請求項１乃至４の何れか一項に記載の電気機器。
【請求項６】
前記出力部が前方を向いた状態で、前記出力部は前記支持機構部よりも前方側に位置すると共に、前記バッテリパックは前記支持機構部よりも後方に位置することを特徴とする請求項１乃至５のいずれか一項に記載の電気機器。
【請求項７】
前記バッテリパックの一部は、前記フレーム部の外周によって囲まれる領域であるガード領域の内側に配置されていることを特徴とする請求項１乃至６の何れか一項に記載の電気機器。
【請求項８】
前記出力部の一部が前記ガード領域の外側に位置する状態で、前記バッテリパックの一部は前記ガード領域の内側に位置することを特徴とする請求項７に記載の電気機器。
【請求項９】
前記電気機器は投光器であり、
前記本体部は、内蔵された光源で発光された光の照射面を前面側に有すると共に、前記バッテリパックが後面側に装着されるハウジングを有し、
前記ボトムフレームを接地させ、前記照射面が垂直で照射方向が前方に向けて水平に設定された状態で、前記サイドフレームの一方側から見た側面視において、
前記バッテリパックの一部は、前記サイドフレームの一方と前記ボトムフレームとを２辺とする略三角形のガード領域内に配置されることを特徴とする請求項１乃至８のいずれか一項に記載の電気機器。
【請求項１０】
前記フレーム部には、地面と接触可能な第１の接地面と、前記第１の接地面とは異なる角度で地面と接触可能な第２の接地面とが設けられており、
前記第１の接地面又は前記第２の接地面のいずれを地面に接触させた場合でも、前記本体部及び前記バッテリパックが地面に接触することなく前記フレーム部に対して回動可能であることを特徴とする請求項１乃至９のいずれか一項に記載の電気機器。
【請求項１１】
前記支持機構部の前方に前記出力部が位置する状態で、前記フレーム部は、前記第１の接地面が前記支持機構部の下方において略前後方向に延びると共に、前記第２の接地面が前記支持機構部の後方において略上下方向に延びるように構成されていることを特徴とする請求項１０記載の電気機器。
【請求項１２】
前記フレーム部にはフックが設けられており、前記フックを単管パイプに引っ掛けた状態で、前記単管パイプは前記ガード領域の内側に位置することを特徴とする請求項７又は８に記載の電気機器。
【請求項１３】
前記接続フレームにはフックが設けられていることを特徴とする請求項４に記載の電気機器。
【請求項１４】
前記電気機器は投光器であり、
前記本体部は、光源が内蔵されて後面側に前記バッテリパックが装着されるハウジングを備え、
前記光源である複数のＬＥＤが実装され、前記ＬＥＤの実装面を前面側に向けて前記ハウジングに収容されたＬＥＤ基板と、
該ＬＥＤ基板の前記ＬＥＤの実装面に対向して配置され、前記ＬＥＤで発光された光の照射面となる透明板と、
前記照射面における前記ＬＥＤの照射領域を避けて、前記照射面上に架け渡されたカバー部材と、を備えることを特徴とする請求項１乃至１３のいずれか一項に記載の電気機器。
【請求項１５】
複数の前記ＬＥＤが並んだＬＥＤ列が複数列配置されており、
前記カバー部材は、前記ＬＥＤ列間に架け渡されていることを特徴とする請求項１４に記載の電気機器。
【請求項１６】
前記照射面における前記ＬＥＤの前記照射領域の直径をＬａとすると、
前記ＬＥＤ列は、２＊Ｌａよりも広い間隔をおいて配置されていることを特徴とする請求項１５に記載の電気機器。
【手続補正２】
【補正対象書類名】明細書
【補正対象項目名】発明の名称
【補正方法】変更
【補正の内容】
【発明の名称】電気機器
【手続補正３】
【補正対象書類名】明細書
【補正対象項目名】０００１
【補正方法】変更
【補正の内容】
【０００１】
本発明は、電力を光、風、熱又は音のいずれかに変換して外部へ出力する電気機器に関する。
【手続補正４】
【補正対象書類名】明細書
【補正対象項目名】０００５
【補正方法】変更
【補正の内容】
【０００５】
本発明は以上のような状況に鑑みなされたものであって、上記課題を解決し、コンパクト且つ軽量で、自立機構や回動機構部を備え、さらに落下等の衝撃に耐える耐久性を兼ね備えた電気機器を提供することを目的とする。また、本発明は、フレーム部があっても使い勝手の良い電気機器を提供することを目的とする。
【手続補正５】
【補正対象書類名】明細書
【補正対象項目名】０００６
【補正方法】変更
【補正の内容】
【０００６】
本発明の電気機器は、電力を光、風、熱又は音のいずれかに変換する変換部と、該変換部から出力される光、風、熱又は音のいずれかを外部へ出力する出力部と、を有する本体部と、該本体部に設けられたバッテリ保持部に着脱可能に装着され、前記変換部に電力を供給するバッテリパックと、前記本体部を回動可能に支持するフレーム部と、を備えた電気機器であって、前記フレーム部は、前記出力部が前方を向いた状態で、前方から前記出力部を見たときに、前記出力部の左方及び右方に位置して上下方向に延びるサイドフレームと、前記出力部の上方に位置して左右方向に延びるトップフレームと、前記出力部の下方において左方及び右方に位置して前後方向に延びるボトムフレームとが互いに相対移動しないよう一体化されて構成されていると共に、前記サイドフレームに前記本体部を回動可能に支持する支持機構部が設けられていることを特徴する。
さらに、本発明の電気機器は、前記サイドフレームの一方側から見た側面視において、前記サイドフレームの一方と前記ボトムフレームは略Ｌ字状に構成されていることを特徴とする。
さらに、本発明の電気機器は、前記トップフレームは前記サイドフレームの上端部に接続され、前記ボトムフレームは前記サイドフレームの下端部から後方側に延びていることを特徴とする。
さらに、本発明の電気機器は、前記フレーム部は、左方及び右方に位置する前記ボトムフレームの後端部を接続する接続フレームを有し、前記ボトムフレームを接地させた状態で、前記ボトムフレームの一部及び前記接続フレームは前記支持機構部よりも後方側に位置することを特徴とする。
さらに、本発明の電気機器は、前記サイドフレームの一方側から見た側面視において、前記サイドフレームの一方と前記ボトムフレームとがなす角度は鋭角に設定されていることを特徴とする。
さらに、本発明の電気機器は、前記出力部が前方を向いた状態で、前記出力部は前記支持機構部よりも前方側に位置すると共に、前記バッテリパックは前記支持機構部よりも後方に位置することを特徴とする。
さらに、本発明の電気機器は、前記バッテリパックの一部は、前記フレーム部の外周によって囲まれる領域であるガード領域の内側に配置されていることを特徴とする。
さらに、本発明の電気機器は、前記出力部の一部が前記ガード領域の外側に位置する状態で、前記バッテリパックの一部は前記ガード領域の内側に位置することを特徴とする。
さらに、本発明の電気機器は、前記電気機器は投光器であり、前記本体部は、内蔵された光源で発光された光の照射面を前面側に有すると共に、前記バッテリパックが後面側に装着されるハウジングを有し、前記ボトムフレームを接地させ、前記照射面が垂直で照射方向が前方に向けて水平に設定された状態で、前記サイドフレームの一方側から見た側面視において、前記バッテリパックの一部は、前記サイドフレームの一方と前記ボトムフレームとを２辺とする略三角形のガード領域内に配置されることを特徴とする。
さらに、本発明の電気機器は、前記フレーム部には、地面と接触可能な第１の接地面と、前記第１の接地面とは異なる角度で地面と接触可能な第２の接地面とが設けられており、前記第１の接地面又は前記第２の接地面のいずれを地面に接触させた場合でも、前記本体部及び前記バッテリパックが地面に接触することなく前記フレーム部に対して回動可能であることを特徴とする。
さらに、本発明の電気機器は、前記支持機構部の前方に前記出力部が位置する状態で、前記フレーム部は、前記第１の接地面が前記支持機構部の下方において略前後方向に延びると共に、前記第２の接地面が前記支持機構部の後方において略上下方向に延びるように構成されていることを特徴とする。
さらに、本発明の電気機器は、前記フレーム部にはフックが設けられており、前記フックを単管パイプに引っ掛けた状態で、前記単管パイプは前記ガード領域の内側に位置することを特徴とする。
さらに、本発明の電気機器は、前記接続フレームにはフックが設けられていることを特徴とする。
さらに、本発明の電気機器は、前記電気機器は投光器であり、前記本体部は、光源が内蔵されて後面側に前記バッテリパックが装着されるハウジングを備え、前記光源である複数のＬＥＤが実装され、前記ＬＥＤの実装面を前面側に向けて前記ハウジングに収容されたＬＥＤ基板と、該ＬＥＤ基板の前記ＬＥＤの実装面に対向して配置され、前記ＬＥＤで発光された光の照射面となる透明板と、前記照射面における前記ＬＥＤの照射領域を避けて、前記照射面上に架け渡されたカバー部材と、を備えることを特徴とする。
さらに、本発明の電気機器は、複数の前記ＬＥＤが並んだＬＥＤ列が複数列配置されており、前記カバー部材は、前記ＬＥＤ列間に架け渡されていることを特徴とする。
さらに、本発明の電気機器は、前記照射面における前記ＬＥＤの前記照射領域の直径をＬａとすると、前記ＬＥＤ列は、２＊Ｌａよりも広い間隔をおいて配置されていることを特徴とする。